(57)【要約】【課題】部品点数が削減され、軽量化された照明用光源を提供する。【解決手段】照明用光源１００は、ＬＥＤ素子１２が配置された長尺状の基板１１と、基板に接触して収縮固定された管状の収縮部材２０とを備える。【選択図】図８
2015167090.tif 000002
【特許請求の範囲】
【請求項１】
管状の収縮部材と、
前記収縮部材内に配置され、主面に発光素子が設けられた長尺状の基板とを備え、
前記収縮部材は、前記基板に接触して収縮固定されている
照明用光源。
【請求項２】
前記照明用光源は、さらに、前記収縮部材内に、かつ、前記基板の長手方向の端部に設けられた口金を備え、
前記収縮部材は、さらに、前記口金に接触して収縮固定されている
請求項１に記載の照明用光源。
【請求項３】
前記照明用光源は、さらに、前記基板と前記収縮部材との間に設けられた骨組み部材を備える
請求項１又は２に記載の照明用光源。
【請求項４】
前記骨組み部材は、前記基板の短手方向に設けられた棒状部材であり、前記発光素子からの光の出射方向に凸になるように湾曲している
請求項３に記載の照明用光源。
【請求項５】
前記骨組み部材は、前記基板の長手方向に互いに離間して複数設けられる
請求項４に記載の照明用光源。
【請求項６】
前記収縮部材は、熱収縮チューブである
請求項１〜５のいずれか１項に記載の照明用光源。
【請求項７】
請求項１〜６のいずれか１項に記載の照明用光源を備える照明装置。
【発明の詳細な説明】
【技術分野】
【０００１】
本発明は、照明用光源及び照明装置に関し、例えば、発光ダイオード（ＬＥＤ：Ｌｉｇｈｔ  Ｅｍｉｔｔｉｎｇ  Ｄｉｏｄｅ）などの発光素子を有する照明用光源及び照明装置に関する。
【背景技術】
【０００２】
ＬＥＤは、高効率及び長寿命であることから、従来から知られる蛍光ランプ又は白熱電球などの各種ランプに対する代替光源として期待されている。中でも、ＬＥＤを用いたランプ（ＬＥＤランプ）の製品開発が盛んに進められている。
【０００３】
この種のＬＥＤランプとして、例えば、直管形蛍光ランプに代替する直管形のＬＥＤランプ（直管ＬＥＤランプ）が知られている（特許文献１参照）。
【０００４】
このような直管ＬＥＤランプは、長尺状の外郭筐体の両端部に設けられた口金と、ＬＥＤモジュールと、ＬＥＤモジュールを点灯させるための点灯回路とを備える。ＬＥＤモジュールは、例えば、基板と、基板上に実装された複数のＬＥＤ素子とを備える。
【先行技術文献】
【特許文献】
【０００５】
【特許文献１】特開２００９−０４３４４７号公報
【発明の概要】
【発明が解決しようとする課題】
【０００６】
特許文献１に記載の直管ＬＥＤランプでは、ＬＥＤモジュールと、口金と、円筒部及び当該円筒部の両端を閉止する閉止部を有する外郭筐体とを備える。このように、特許文献１に記載の直管ＬＥＤランプでは、部品点数が多く、軽量化が難しい。
【０００７】
そこで、本発明は、部品点数を削減し、軽量化を実現することができる照明用光源及び照明装置を提供する。
【課題を解決するための手段】
【０００８】
上記課題を解決するため、本発明の一態様に係る照明用光源は、管状の収縮部材と、前記収縮部材内に配置され、主面に発光素子が設けられた長尺状の基板とを備え、前記収縮部材は、前記基板に接触して収縮固定されている。
【０００９】
また、本発明の一態様に係る照明用光源は、さらに、前記収縮部材内に、かつ、前記基板の長手方向の端部に設けられた口金を備え、前記収縮部材は、さらに、前記口金に接触して収縮固定されていてもよい。
【００１０】
また、本発明の一態様に係る照明用光源は、さらに、前記基板と前記収縮部材との間に設けられた骨組み部材を備えてもよい。
【００１１】
また、本発明の一態様に係る照明用光源では、前記骨組み部材は、前記基板の短手方向に設けられた棒状部材であり、前記発光素子からの光の出射方向に凸になるように湾曲していてもよい。
【００１２】
また、本発明の一態様に係る照明用光源では、前記骨組み部材は、前記基板の長手方向に互いに離間して複数設けられてもよい。
【００１３】
また、本発明の一態様に係る照明用光源では、前記収縮部材は、熱収縮チューブであってもよい。
【００１４】
また、本発明の一態様に係る照明装置は、上記照明用光源を備える照明装置である。
【発明の効果】
【００１５】
本発明によれば、部品点数が削減され、軽量化された照明用光源及び照明装置を提供することができる。
【図面の簡単な説明】
【００１６】
【図１】本発明の実施の形態１に係る直管ＬＥＤランプの一例を示す概観斜視図である。
【図２】本発明の実施の形態１に係る直管ＬＥＤランプの一例を示す断面図である。
【図３】本発明の実施の形態１に係る直管ＬＥＤランプの一例を示す断面図である。
【図４】本発明の実施の形態１に係る直管ＬＥＤランプの製造方法の一例を示す概観斜視図である。
【図５】本発明の実施の形態１の変形例に係る直管ＬＥＤランプの一例を示す概観斜視図である。
【図６】本発明の実施の形態１の変形例に係る直管ＬＥＤランプの一例を示す断面図である。
【図７】本発明の実施の形態１の変形例に係る直管ＬＥＤランプの一例を示す断面図である。
【図８】本発明の実施の形態１の変形例に係る照明用光源の一例を示す概観斜視図である。
【図９】本発明の実施の形態２に係る照明装置の一例を示す概観斜視図である。
【発明を実施するための形態】
【００１７】
以下では、本発明の実施の形態に係る照明用光源及び照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１８】
また、各図は、模式図であり、必ずしも厳密に図示されたものではない。また、各図において、同じ構成部材については同じ符号を付している。
【００１９】
以下の実施の形態では、照明用光源の一態様である直管ＬＥＤランプ、及び、当該直管ＬＥＤランプを備える照明装置について例示する。
【００２０】
（実施の形態１）
まず、本発明の実施の形態１に係る直管ＬＥＤランプについて説明する。なお、本実施の形態に係る直管ＬＥＤランプは、従来の直管形蛍光ランプに代替する照明用光源の一例である。
【００２１】
［直管ＬＥＤランプの全体構成］
まず、本実施の形態に係る直管ＬＥＤランプの構成の一例について、図１を用いて説明する。図１は、本発明の実施の形態１に係る直管ＬＥＤランプの一例を示す概観斜視図である。
【００２２】
図１に示すように、直管ＬＥＤランプ１は、ＬＥＤモジュール１０と、管状の収縮部材２０と、ＬＥＤモジュール１０の長手方向の端部のそれぞれに設けられた給電用口金３０及び非給電用口金４０とを備える。直管ＬＥＤランプ１は、例えば、４０形の直管ＬＥＤランプであり、ランプ全長が約１２００ｍｍである。
【００２３】
なお、図１において、Ｘ軸方向は、ＬＥＤモジュール１０の短手方向である。Ｙ軸方向は、ＬＥＤモジュール１０の長手方向である。Ｚ軸方向は、ＬＥＤモジュール１０の主面に垂直な方向である。
【００２４】
以下、直管ＬＥＤランプ１の各構成部材について詳述する。
【００２５】
［ＬＥＤモジュール］
まず、本実施の形態に係るＬＥＤモジュール１０について説明する。
【００２６】
図１に示すように、ＬＥＤモジュール１０は、直管ＬＥＤランプ１の光源であり、収縮部材２０内に配置される。
【００２７】
本実施の形態に係るＬＥＤモジュール１０は、表面実装（ＳＭＤ：Ｓｕｒｆａｃｅ  Ｍｏｕｎｔ  Ｄｅｖｉｃｅ）型の発光モジュールである。ＬＥＤモジュール１０は、基板１１と、基板１１に実装された複数のＬＥＤ素子１２とを備える。また、図示しないが、ＬＥＤモジュール１０は、複数のＬＥＤ素子１２を点灯するための点灯回路と、複数のＬＥＤ素子１２及び点灯回路を電気的に接続するための所定形状にパターン形成された金属配線とを備える。
【００２８】
基板１１は、収縮部材２０内に配置された長尺状の基板である。基板１１は、例えば、矩形の基板である。基板１１は、長手方向（図１のＹ軸方向）が管状の収縮部材２０の長手方向と平行になり、かつ、短手方向（図１のＸ軸方向）が収縮部材２０の短手方向と平行になるように、収縮部材２０内に配置される。
【００２９】
基板１１は、互いに対向する第１主面（表面）及び第２主面（裏面）を有する。図１に示すように、基板１１の第１主面には、長手方向に並んで配置された複数のＬＥＤ素子１２と、複数のＬＥＤ素子１２に電力を供給するための金属配線（図示せず）とが設けられている。
【００３０】
基板１１は、例えば、長さ１１５０〜１２００ｍｍ（長手方向）、幅５〜２５ｍｍ（短手方向）、厚さ０．３〜２．０ｍｍである。なお、基板１１の長さは、収縮部材２０の長さ（長手方向）以下である。
【００３１】
具体的には、基板１１は、ＬＥＤ素子１２を実装するための実装基板である。基板１１は、例えば、樹脂をベースとする樹脂基板、金属をベースとするメタルベース基板、セラミックからなるセラミック基板、又は、ガラスからなるガラス基板などである。
【００３２】
樹脂基板は、例えば、ガラス繊維とエポキシ樹脂とからなるガラスエポキシ基板（ＣＥＭ−３、ＦＲ−４など）、紙フェノール若しくは紙エポキシからなる基板（ＦＲ−１など）、又は、ポリイミドなどからなる可撓性を有するフレキシブル基板などである。メタルベース基板は、例えば、表面に絶縁膜が形成されたアルミニウム合金基板、鉄合金基板又は銅合金基板などである。本実施の形態では、基板１１として、ＣＥＭ−３の両面基板を用いている。
【００３３】
基板１１の長手方向の一方の端部は、給電用口金３０に覆われている。また、基板１１の長手方向の他方の端部は、非給電用口金４０に覆われている。例えば、基板１１の長手方向の端部は、給電用口金３０又は非給電用口金４０に接着剤などの固定部材によって固定されてもよい。接着剤は、例えば、シリコーン樹脂又はセメントである。
【００３４】
ＬＥＤ素子１２は、発光素子の一例であり、基板１１上に実装される。本実施の形態では、複数のＬＥＤ素子１２は、基板１１の長手方向に沿ってライン状に一列に配置されるように実装されている。複数のＬＥＤ素子１２のそれぞれは、図１に示すように、互いに離間して配置されている。
【００３５】
ＬＥＤ素子１２は、ＬＥＤチップと蛍光体とがパッケージ化された、いわゆるＳＭＤ型の発光素子である。ＬＥＤ素子１２は、パッケージと、パッケージに配置されたＬＥＤチップと、ＬＥＤチップを封止する封止部材とを備える。ＬＥＤ素子１２は、例えば、白色光を発する白色ＬＥＤ素子である。
【００３６】
パッケージは、白色樹脂などによって成形された容器であり、逆円錐台形状の凹部（キャビティ）を備える。凹部の内側面は傾斜しており、ＬＥＤチップからの光を上方に反射させるように構成されている。
【００３７】
ＬＥＤチップは、パッケージの凹部の底面に実装されている。ＬＥＤチップは、単色の可視光を発するベアチップであり、ダイアタッチ材（ダイボンド材）によって、パッケージの凹部の底面にダイボンディング実装されている。ＬＥＤチップは、例えば、通電されると青色光を発する青色ＬＥＤチップである。
【００３８】
封止部材は、光波長変換体である蛍光体を含む蛍光体含有樹脂であり、ＬＥＤチップから発せられた光を所定の波長に変換（色変換）する。また、封止部材は、ＬＥＤチップを封止することで、ＬＥＤチップを保護する。封止部材は、パッケージの凹部に充填されており、当該凹部の開口面まで封入されている。
【００３９】
封止部材は、ＬＥＤチップが発する光の色（波長）と、光源として求められる光の色（波長）とに基づいて選択された材料を含む。例えば、ＬＥＤチップが青色ＬＥＤチップである場合に白色光を得るために、封止部材として、ＹＡＧ（イットリウム・アルミニウム・ガーネット）系の黄色蛍光体粒子をシリコーン樹脂に分散させた蛍光体含有樹脂を用いることができる。これにより、黄色蛍光体粒子が青色ＬＥＤチップの青色光によって励起されて黄色光を放出するので、封止部材からは、励起された黄色光と青色ＬＥＤチップの青色光との合成光として白色光が放出される。なお、封止部材に、シリカ（ＳｉＯ２）などの光拡散材を含有させてもよい。
【００４０】
このように構成されるＬＥＤ素子１２は、正極及び負極の２つの電極端子を有しており、これらの電極端子と基板１１に形成された金属配線とが電気的に接続されている。
【００４１】
金属配線（図示せず）は、複数のＬＥＤ素子１２のそれぞれに対して所定の電力を供給するための金属配線である。金属配線は、予め定められた形状でパターン形成されている。本実施の形態では、直管ＬＥＤランプ１は、給電用口金３０のみの片側から収縮部材２０内の全てのＬＥＤ素子１２に給電する片側給電方式を採用している。
【００４２】
例えば、金属配線は、２本のリード線（一対のリード線）によって給電用口金の一対の給電ピン３２に接続される。例えば、リード線の端部は、金属配線に半田付けされる。
【００４３】
金属配線は、例えば、銅（Ｃｕ）などの高伝導率を有する金属から構成される。あるいは、金属配線は、ニッケル、アルミニウム若しくは金、又は、これらのうち２以上の金属からなる積層膜若しくは合金でもよい。
【００４４】
点灯回路（図示せず）は、ＬＥＤモジュール１０に実装されたＬＥＤ素子１２を点灯するためのＬＥＤ点灯回路である。点灯回路は、１つ又は複数の回路素子（回路部品）から構成される。
【００４５】
点灯回路は、例えば、リード線を介して入力される直流電圧を、ＬＥＤ素子１２を発光させるための所定の極性に調整して出力する。点灯回路から出力される直流電力は、例えば、基板１１に形成された金属配線を介してＬＥＤモジュール１０のＬＥＤ素子１２に供給される。
【００４６】
回路素子（図示せず）は、ＬＥＤモジュール１０の基板１１を利用して、基板１１に直接実装されている。回路素子は、例えば、整流回路、検知抵抗又はヒューズ素子などである。その他必要に応じて、抵抗、コンデンサ、コイル、ダイオード又はトランジスタなどを用いてもよい。
【００４７】
また、基板１１とは別の基板（回路基板）に点灯回路を設けてもよい。この場合、回路基板と基板１１とをリード線などで電気的に接続すればよい。
【００４８】
また、ＬＥＤモジュール１０の光取り出し効率を向上させるために、基板１１の表面に白色塗料（白レジスト）を塗装してもよい。白レジストは、高光反射性を有するので、ＬＥＤモジュール１０の光取り出し効率を向上させることができる。また、白レジストを形成することによって、基板１１の絶縁性（耐圧）を向上させることができ、かつ、金属配線の酸化を抑制することができる。
【００４９】
［収縮部材］
続いて、収縮部材２０について、図１を参照しながら、図２及び図３を用いて詳細に説明する。図２及び図３は、本発明の実施の形態１に係る直管ＬＥＤランプの一例を示す断面図である。なお、図２は、直管ＬＥＤランプの管軸方向を通る断面であって、ＬＥＤモジュールに垂直な断面（ＹＺ断面）を示している。また、図３は、直管ＬＥＤランプの管軸方向に垂直、かつ、ＬＥＤモジュールの基板に垂直な断面（ＸＺ断面）であり、図２のＡ−Ａ断面を示している。
【００５０】
収縮部材２０は、内部に基板１１が配置された管状の収縮部材である。図３に示すように、収縮部材２０は、基板１１を覆うように基板１１に接触して収縮固定されている。言い換えると、収縮部材２０の内面の少なくとも一部は、基板１１に接触している。具体的には、収縮部材２０は、基板１１の短手方向の端面に接触し、基板１１の主面（表面及び裏面）にはほとんど接触しない。
【００５１】
なお、これは、収縮部材２０の収縮性能（熱収縮率など）に起因するので、例えば、収縮部材２０として熱収縮率の良い材料を用いることで、基板１１の主面に接触させてもよい。例えば、収縮部材２０は、基板１１の端面及び第２主面（裏面）に接触してもよく、ＬＥＤ素子１２に接触してもよい。
【００５２】
また、図１及び図２に示すように、収縮部材２０は、給電用口金３０及び非給電用口金４０を覆うように、給電用口金３０及び非給電用口金４０に接触して収縮固定されている。言い換えると、収縮部材２０の内面の少なくとも一部は、給電用口金３０及び非給電用口金４０に接触している。具体的には、収縮部材２０の内面は、給電用口金３０の外面及び非給電用口金４０の外面に接触している。
【００５３】
収縮部材２０は、ＬＥＤモジュール１０を覆う透光性を有する長尺状の透光性カバーである。例えば、図１に示すように、収縮部材２０は、両端部に開口を有する外管である。収縮部材２０は、例えば、透明樹脂材料から構成される。
【００５４】
例えば、収縮部材２０は、熱収縮チューブである。つまり、収縮部材２０は、熱が加えられることによって収縮する。収縮部材２０は、収縮前の内径が給電用口金３０及び非給電用口金４０の外径より大きい。これにより、収縮部材２０内にＬＥＤモジュール１０をスムーズに挿入することができる。
【００５５】
また、収縮部材２０の長手方向の長さは、直管ＬＥＤランプ１の長さに略等しい。例えば、収縮部材２０の長さは、基板１１の長さ以上であり、一例として、１２００ｍｍである。
【００５６】
例えば、収縮部材２０は、絶縁性を有し、かつ、可視光に対して透明な樹脂材料から構成される。この場合、収縮部材２０内に配置されたＬＥＤモジュール１０は、収縮部材２０の外側から視認することができる。具体的には、収縮部材２０は、ポリ塩化ビニル、ポリエステル若しくはポリオレフィンなどプラスチック製、又は、シリコーンゴムなどのゴム製の樹脂材料から構成される熱収縮チューブである。
【００５７】
なお、ＬＥＤモジュール１０からの光を拡散させるために、収縮部材２０は光拡散機能を有してもよい。例えば、収縮部材２０の外面に光拡散シート又は光拡散膜を形成すればよい。具体的には、シリカ若しくは炭酸カルシウムなどの光拡散材（微粒子）を含有する樹脂、又は、白色顔料を収縮部材２０の外面に付着させることで、乳白色の光拡散膜を形成することができる。
【００５８】
このように、収縮部材２０に光拡散機能を持たせることによって、ＬＥＤモジュール１０から放射された光を、収縮部材２０を当該光が通過する際に拡散させることができる。例えば、本実施の形態のように、ＳＭＤ型のＬＥＤ素子１２が離間して配置されていると、光のつぶつぶ感（輝度ばらつき）が発生する恐れがある。これに対して、収縮部材２０に光拡散機能を持たせることで、光のつぶつぶ感を抑制することができる。
【００５９】
［給電用口金］
給電用口金３０は、ＬＥＤモジュール１０に電力を供給するための給電用口金である。言い換えると、給電用口金３０は、複数のＬＥＤ素子１２を発光させるための電力を受電する。
【００６０】
給電用口金３０は、基板１１の長手方向（Ｙ軸方向）の一方の端部に設けられる。例えば、給電用口金３０は、有底筒形状であり、基板１１の長手方向の一方の端部を覆うように設けられる。なお、給電用口金３０は、接着剤によって基板１１の一方の端部に接着固定されてもよい。具体的には、給電用口金３０は、一方に開口を有し、他方に底部を有する円筒である。
【００６１】
図１に示すように、給電用口金３０は、口金本体３１と、給電ピン３２とを備える。
【００６２】
口金本体３１は、基板１１の長手方向の一方の端部に設けられる。例えば、口金本体３１は、筒状の口金本体であり、給電用口金３０の外郭をなす。口金本体３１は、給電ピン３２を保持する。
【００６３】
具体的には、口金本体３１は、開口及び底部を有する筒状の口金本体である。本実施の形態に係る口金本体３１は、有底円筒形状であり、円形の開口と円板状の底部とを有する。
【００６４】
口金本体３１は、例えば、ポリブチレンテレフタレート（ＰＢＴ）などの樹脂材料から構成される。ここで、給電用口金３０は、例えば、給電ピン３２と樹脂材料とを用いたインサート成形によって作製される。なお、樹脂成形体である口金本体３１に給電ピン３２を圧入することで、給電用口金３０を作製することもできる。
【００６５】
口金本体３１は、図１及び図２に示すように、収縮部材２０に覆われている。具体的には、口金本体３１の外面と収縮部材２０の内面とが接触している。なお、収縮部材２０は、少なくとも給電ピン３２が露出するように給電用口金３０を覆っている。
【００６６】
給電ピン３２は、口金ピンの一例であり、口金本体３１に設けられる。給電ピン３２は、具体的には、ＬＥＤモジュール１０を発光させるための電力を照明器具などの外部機器から受ける一対の導電ピンである。
【００６７】
例えば、給電ピン３２は、真鍮などの金属材料から構成される。給電ピン３２を照明器具の受金に装着することで、給電ピン３２は、照明器具に内蔵された電源装置から直流電力を受けることができる。
【００６８】
具体的には、給電ピン３２は、口金本体３１の底部を貫通するように設けられている。給電ピン３２は、口金本体３１の底部の外面から外方に向かって突出し、かつ、口金本体３１の底部の内面から開口に向かって突出している。給電ピン３２のうち、口金本体３１の底部の内面から開口に向かって突出している部分は、基板１１の金属電極にリード線５０によって接続される。
【００６９】
なお、本実施の形態に係る給電用口金３０は、「ＪＩＳ  Ｃ  ７７０９−１」に準拠した直管ＬＥＤランプにおけるＧＸ１６ｔ−５口金（Ｌ形ピン口金）であるので、給電ピン３２は、Ｌ字形である。
【００７０】
ここで、リード線５０は、図２に示すように、一端が給電ピン３２に接続され、他端が基板１１に接続されたＬＥＤ素子１２に電力を供給するための導線である。具体的には、２本のリード線５０のそれぞれの一端が、一対の導電ピンである給電ピン３２に接続される。また、２本のリード線５０のそれぞれの他端が、基板１１の金属配線に接続される。例えば、リード線５０は、給電ピン３２と、金属配線の金属電極とに半田付けされる。
【００７１】
リード線５０は、例えば、細い銅線などを撚り合わせたものであり、表面がポリ塩化ビニル又はシリコーンゴムなどの絶縁性部材で覆われている。具体的には、リード線５０の両端は、導電性の金属線などが露出しており、両端を除く部分は、絶縁性部材に覆われている。リード線５０は、金属の露出部分（両端部分）と、被覆部分（両端を除く部分）とを含んでいる。
【００７２】
なお、リード線５０の端部に接続端子を設け、金属電極の代わりに基板１１に設けられた接続端子にリード線５０をコネクタ接続してもよい。接続端子は、ＬＥＤ素子１２を発光させるための直流電力を、ＬＥＤモジュール１０の外部から受電する外部接続端子（電極端子）である。具体的には、接続端子は、樹脂型の口金と、直流電力を受電するための導電部（ピン）とを有するコネクタである。当該導電部は、金属配線を介して点灯回路に接続される。このように、リード線５０の端部は、基板１１の主面にコネクタ接続されてもよい。
【００７３】
［非給電用口金］
非給電用口金４０は、直管ＬＥＤランプ１を照明器具に取り付ける機能を有する非給電側の口金である。非給電用口金４０は、図１に示すように、基板１１の長手方向（Ｙ軸方向）の他方の端部に設けられる。つまり、非給電用口金４０は、給電用口金３０が設けられた基板１１の長手方向の端部（一方の端部）の反対側の端部に設けられる。なお、非給電用口金４０は、照明器具を介してＬＥＤモジュール１０の所定領域を接地（アース）してもよい。
【００７４】
例えば、非給電用口金４０は、有底筒形状であり、基板１１の長手方向の他方の端部を覆うように設けられる。なお、非給電用口金４０は、接着剤によって基板１１の他方の端部に接着固定されてもよい。具体的には、非給電用口金４０は、一方に開口を有し、他方に底部を有する円筒である。
【００７５】
図１に示すように、非給電用口金４０は、口金本体４１と、非給電ピン４２とを備える。
【００７６】
口金本体４１は、基板１１の長手方向の他方の端部に設けられる。例えば、口金本体４１は、筒状の口金本体であり、非給電用口金４０の外郭をなす。口金本体４１は、非給電ピン４２を保持する。
【００７７】
具体的には、口金本体４１は、開口及び底部を有する筒状の口金本体である。本実施の形態に係る口金本体４１は、有底円筒形状であり、円形の開口と円板状の底部とを有する。
【００７８】
口金本体４１は、例えば、ポリブチレンテレフタレート（ＰＢＴ）などの樹脂材料から構成される。ここで、非給電用口金４０は、例えば、非給電ピン４２と樹脂材料とを用いたインサート成形によって作製される。なお、樹脂成形体である口金本体４１に非給電ピン４２を圧入することで、非給電用口金４０を作製することもできる。
【００７９】
口金本体４１は、図１及び図２に示すように、収縮部材２０に覆われている。具体的には、口金本体４１の外面と収縮部材２０の内面とが接触している。なお、収縮部材２０は、少なくとも非給電ピン４２が露出するように非給電用口金４０を覆っている。
【００８０】
非給電ピン４２は、口金ピンの一例であり、直管ＬＥＤランプ１を照明器具に取り付けるための取り付けピンである。例えば、非給電ピン４２は、真鍮などの金属材料から構成された断面Ｔ字状の導電ピンである。
【００８１】
非給電ピン４２は、口金本体４１の底部から外方に向かって突出するように設けられている。非給電ピン４２は、口金本体４１の内面側には露出しておらず、口金本体４１に埋め込まれている。なお、非給電ピン４２は、口金本体４１の底部を貫通するように設けられていてもよい。具体的には、非給電ピン４２は、口金本体４１の底部の外面から外方に向かって突出し、かつ、口金本体４１の底部の内面から開口に向かって突出していてもよい。
【００８２】
［直管ＬＥＤランプの製造方法］
続いて、本実施の形態に係る直管ＬＥＤランプの製造方法について説明する。具体的には、収縮部材の取り付けについて、図４を用いて説明する。図４は、本発明の実施の形態１に係る直管ＬＥＤランプの製造方法の一例を示す概観斜視図である。
【００８３】
まず、図４の（ａ）に示すように、長手方向の両端に給電用口金３０及び非給電用口金４０が設けられたＬＥＤモジュール１０と、収縮前の収縮部材２０とを準備する。そして、収縮前の収縮部材２０を、長手方向の一方の端部からＬＥＤモジュール１０に被せていく。言い換えると、収縮前の収縮部材２０にＬＥＤモジュール１０を挿入する。つまり、ＬＥＤモジュール１０、給電用口金３０及び非給電用口金４０を、収縮前の収縮部材２０内に配置する。
【００８４】
このとき、収縮前の収縮部材２０の内径は、給電用口金３０及び非給電用口金４０の外径より大きい。これにより、収縮前の収縮部材２０をスムーズにＬＥＤモジュール１０に被せることができる。
【００８５】
次に、図４の（ｂ）に示すように、収縮前の収縮部材２０に熱を加えることで、収縮部材２０を収縮させる。具体的には、収縮部材２０の内面が基板１１、給電用口金３０及び非給電用口金４０に接触するように、収縮部材２０を収縮させる。
【００８６】
以上のようにして、図４の（ｃ）に示すように、ＬＥＤモジュール１０、給電用口金３０及び非給電用口金４０を接触して覆うように収縮固定された収縮部材２０を備える直管ＬＥＤランプ１を製造する。
【００８７】
［効果など］
以上のように、本実施の形態に係る直管ＬＥＤランプ１は、管状の収縮部材２０と、収縮部材２０内に配置され、主面にＬＥＤ素子１２が設けられた長尺状の基板１１とを備え、収縮部材２０は、基板１１に接触して収縮固定されている。
【００８８】
これにより、ガラスバルブ又は樹脂バルブを用いた場合、ガラスバルブ又は樹脂バルブと給電用口金３０とを固定するための固定部材が必要となるのに対して、収縮部材２０を用いることで、軽量化が実現できる。また、基板１１に設けられたＬＥＤ素子１２を収縮部材２０が覆っているので、人が触れることによる感電を防止することができる。
【００８９】
また、本実施の形態に係る直管ＬＥＤランプ１は、さらに、収縮部材２０内に、かつ、基板１１の長手方向の端部に設けられた給電用口金３０を備え、収縮部材２０は、さらに、給電用口金３０に接触して収縮固定されている。
【００９０】
これにより、収縮部材２０が基板１１と給電用口金３０とに接触して収縮固定されているので、給電用口金３０と基板１１との間から収縮部材２０内に異物などが侵入することを抑制することができる。
【００９１】
また、本実施の形態に係る直管ＬＥＤランプ１では、収縮部材２０は、熱収縮チューブである。
【００９２】
これにより、収縮前の収縮部材２０に熱を加えることで、収縮部材２０を容易に基板１１に接触して収縮固定することができる。
【００９３】
なお、収縮部材２０は、熱収縮チューブである例について示したが、これに限らない。例えば、収縮部材２０は、紫外線を照射した場合に収縮する紫外線収縮チューブでもよい。
【００９４】
また、収縮部材２０は、ＬＥＤモジュール１０、給電用口金３０及び非給電用口金４０を接触して覆うように設けられているが、収縮部材２０は、給電用口金３０及び非給電用口金４０の少なくとも一方を覆わなくてもよい。
【００９５】
（実施の形態１の変形例）
続いて、本発明の実施の形態１の変形例に係る直管ＬＥＤランプについて、図５〜図７を用いて説明する。なお、以下では、実施の形態１と異なる点を中心に説明し、同じ点は説明を省略する場合がある。
【００９６】
図５は、本発明の実施の形態１の変形例に係る直管ＬＥＤランプの一例を示す概観斜視図である。図６及び図７は、本発明の実施の形態１の変形例に係る直管ＬＥＤランプの一例を示す断面図である。
【００９７】
なお、図６は、直管ＬＥＤランプの管軸方向を通る断面であって、ＬＥＤモジュールに垂直な断面（ＹＺ断面）を示している。また、図７は、直管ＬＥＤランプの管軸方向に垂直、かつ、ＬＥＤモジュールの基板に垂直な断面（ＸＺ断面）であり、図６のＢ−Ｂ断面を示している。また、図７は、骨組み部材６０を通過する断面を示している。
【００９８】
図５及び図６に示すように、本変形例に係る直管ＬＥＤランプ１ａは、基板１１と収縮部材２０との間に設けられた骨組み部材６０を備える。骨組み部材６０は、基板１１の長手方向に互いに離間して複数設けられる。複数の骨組み部材６０は、例えば、等間隔に設けられる。また、このとき、複数の骨組み部材６０はそれぞれ、隣り合うＬＥＤ素子１２の間に設けられることが好ましい。
【００９９】
骨組み部材６０は、収縮部材２０の支えとなる部材である。つまり、骨組み部材６０は、収縮部材２０が収縮する際に、直管ＬＥＤランプ１ａの形状を直管状に見せるために設けられる。収縮部材２０は、図５及び図６に示すように、複数の骨組み部材６０に架け渡されるように設けられる。
【０１００】
これにより、ＬＥＤ素子１２と収縮部材２０との間の距離を、骨組み部材６０がない場合に比べて大きくすることができる。したがって、ＬＥＤ素子１２からの光の拡散効果を高めることができ、光のつぶつぶ感を抑制することができる。
【０１０１】
骨組み部材６０は、基板１１の短手方向に設けられた棒状部材であり、所定の方向に湾曲している。例えば、骨組み部材６０は、ＬＥＤ素子１２からの光の出射方向に凸になるように湾曲して設けられる。具体的には、骨組み部材６０は、図７に示すように、円弧状の部材である。円弧状の骨組み部材６０の外径は、例えば、口金本体３１及び４１の外径以下の長さである。
【０１０２】
具体的には、骨組み部材６０の両端は、基板１１に固定される。例えば、骨組み部材６０の両端に、基板１１を挟む挟持部を設けてもよい。具体的には、骨組み部材６０は、挟持部が基板１１の短手方向の端面から基板１１の第１主面と第２主面とを挟むことで、固定されてもよい。あるいは、骨組み部材６０の両端は、接着剤によって基板１１に接着固定されてもよい。
【０１０３】
骨組み部材６０は、例えば、金属材料又は樹脂材料から構成される。なお、ＬＥＤ素子１２からの光の照射を妨げないように、骨組み部材６０は、透光性材料から構成されることが好ましい。例えば、骨組み部材６０は、透明である。
【０１０４】
以上のように、本変形例に係る直管ＬＥＤランプ１ａは、さらに、基板１１と収縮部材２０との間に設けられた骨組み部材６０を備える。
【０１０５】
これにより、基板１１と収縮部材２０との間に骨組み部材６０を備えるので、ＬＥＤ素子１２と収縮部材２０との距離を、骨組み部材６０がない場合に比べて長くすることができる。したがって、ＬＥＤ素子１２からの光の拡散効果を高めることができ、光のつぶつぶ感を抑制することができる。
【０１０６】
また、本変形例に係る直管ＬＥＤランプ１ａでは、骨組み部材６０は、基板１１の短手方向に設けられた棒状部材であり、ＬＥＤ素子１２からの光の出射方向に凸になるように湾曲している。
【０１０７】
これにより、骨組み部材６０が短手方向に設けられるので、骨組み部材６０によって収縮部材２０の短手方向の断面形状を定めることができる。例えば、収縮部材２０が骨組み部材６０に沿って収縮するので、骨組み部材６０の湾曲の程度を定めることで、収縮部材２０の断面形状を定めることができる。
【０１０８】
また、本変形例に係る直管ＬＥＤランプ１ａでは、骨組み部材６０は、基板１１の長手方向に互いに離間して複数設けられる。
【０１０９】
これにより、収縮部材２０の形状をより直管状に近づけることができる。
【０１１０】
なお、骨組み部材６０は、円環状の部材でもよい。つまり、骨組み部材６０は、口金本体３１及び４１の開口部の形状と同じでもよい。例えば、口金本体３１及び４１の開口部が矩形の場合、骨組み部材６０は、矩形の環状部材でもよい。このとき、基板１１は、環状の骨組み部材６０を挿通されて配置される。
【０１１１】
また、骨組み部材６０は、両端が基板１１に固定される例について示したが、これに限らない。例えば、骨組み部材６０は、基板１１の主面に立設されたＴ字形の棒状部材でもよい。このとき、好ましくは、Ｔ字の腕の部分がＬＥＤ素子１２からの光の出射方向に凸の円弧状である。
【０１１２】
また、直管ＬＥＤランプ１ａが複数の骨組み部材６０を備える例について示したが、１つのみの骨組み部材６０を備えてもよい。このとき、１つのみの骨組み部材６０は、収縮部材２０の中央部に設けられることが好ましい。
【０１１３】
また、骨組み部材６０が基板１１の短手方向に平行に設けられる例について示したが、これに限らない。例えば、骨組み部材６０は、基板１１を螺旋状に覆う部材でもよい。あるいは、骨組み部材６０は、基板１１の短手方向及び長手方向の双方に交差する斜め方向に設けられてもよい。
【０１１４】
また、骨組み部材６０は、光拡散機能を有してもよい。
【０１１５】
なお、上記の実施の形態及びその変形例において、照明用光源は、給電用口金３０及び非給電用口金４０を備える直管ＬＥＤランプ１又は１ａである例について示したが、照明用光源は、これに限らない。例えば、照明用光源は、給電用口金３０及び非給電用口金４０を備えなくてもよい。
【０１１６】
具体的には、照明用光源１００は、図８に示すように、ＬＥＤモジュール１０と、収縮部材２０と、給電ピン３２と、リード線５０とを備えればよい。なお、図８は、本実施の形態の変形例に係る照明用光源の一例を示す概観斜視図である。ＬＥＤモジュール１０、収縮部材２０、給電ピン３２及びリード線５０は、実施の形態１と同様である。
【０１１７】
なお、給電ピン３２は、口金本体３１などには固定されておらず、リード線５０によってＬＥＤモジュール１０と接続されているに過ぎない。また、収縮部材２０は、基板１１を接触して覆うように収縮固定されている。収縮部材２０の長手方向の長さは、例えば、基板１１の長さと同じである。
【０１１８】
以上のように、本実施の形態の変形例に係る照明用光源１００は、管状の収縮部材２０と、収縮部材２０内に配置され、主面にＬＥＤ素子１２が設けられた長尺状の基板１１とを備え、収縮部材２０は、基板１１に接触して収縮固定されている。
【０１１９】
これにより、ガラスバルブ又は樹脂バルブを用いた場合、ガラスバルブ又は樹脂バルブと給電用口金３０とを固定するための固定部材が必要となるのに対して、収縮部材２０を用いることで、軽量化が実現できる。また、基板１１に設けられたＬＥＤ素子１２を収縮部材２０が覆っているので、人が触れることによる感電を防止することができる。
【０１２０】
また、通常ガラスバルブ又は樹脂バルブは剛体であるのに対して、収縮部材２０は、弾性体である。したがって、基板１１としてフレキシブル基板を用いた場合に、より有用である。また、収縮後の収縮部材２０の弾性が弱い場合、所望の形状に基板１１を屈曲させた状態で、収縮部材２０を収縮させることで、所望の形状の照明用光源１００を製造することもできる。
【０１２１】
（実施の形態２）
本発明の実施の形態２に係る照明装置は、上述の照明用光源を備える照明装置である。例えば、実施の形態２に係る照明装置は、実施の形態１に係る直管ＬＥＤランプ１を備える。
【０１２２】
図９は、本発明の実施の形態２に係る照明装置２の一例を示す概観斜視図である。図９に示すように、実施の形態２に係る照明装置２は、ベースライトであり、直管ＬＥＤランプ１と、照明器具２００とを備える。
【０１２３】
直管ＬＥＤランプ１は、実施の形態１に係る直管ＬＥＤランプ１であり、照明装置２の照明用光源として用いられる。なお、本実施の形態に係る照明装置２は、一例として２本の直管ＬＥＤランプ１を備える。
【０１２４】
照明器具２００は、直管ＬＥＤランプ１と電気的に接続され、かつ、直管ＬＥＤランプ１を保持する一対の受金２１０と、受金２１０が取り付けられる器具本体２２０とを備える。
【０１２５】
器具本体２２０は、例えば、アルミ鋼板をプレス加工などすることによって成形することができる。また、その表面は、直管ＬＥＤランプ１から発せられた光を所定方向（例えば、下方）に反射させる反射面の機能を有する。
【０１２６】
照明器具２００は、例えば、天井などに固定具を介して装着される。なお、照明器具２００には、直管ＬＥＤランプ１の点灯を制御するための回路などが内蔵されていてもよい、また、直管ＬＥＤランプ１を覆うようにカバー部材が設けられていてもよい。
【０１２７】
以上のように、本実施の形態に係る照明装置２は、他の実施の形態と同様に、部品点数を削減し、軽量化を実現することができる。
【０１２８】
（その他）
以上、本発明に係る照明用光源及び照明装置について、上記実施の形態に基づいて説明したが、本発明は、上記の実施の形態に限定されるものではない。
【０１２９】
例えば、上記の実施の形態において、ＬＥＤモジュールが、パッケージ化されたＬＥＤ素子を用いたＳＭＤ型のＬＥＤモジュールである場合について説明したが、これに限らない。ＬＥＤモジュールは、基板上に複数のＬＥＤチップが直接実装され、複数のＬＥＤチップを蛍光体含有樹脂によって一括封止した構成であるＣＯＢ（Ｃｈｉｐ  Ｏｎ  Ｂｏａｒｄ）型のＬＥＤモジュールでもよい。
【０１３０】
また、筐体内に配置される基板（ＬＥＤモジュール）は、直列又は並列に２枚以上並べてもよい。この場合、接続端子を介してそれぞれの基板に設けられた金属配線を接続すればよい。
【０１３１】
また、筐体は、例えば、ＬＥＤモジュールを覆う長尺状の透光性カバーと、基台とによって構成されてもよい。この場合、ＬＥＤモジュールは、例えば、基台に戴置される。つまり、筐体は、一体の筐体でなくてもよく、透光性カバーと基台とからなる筐体などの、複数に分割可能な筐体であってもよい。
【０１３２】
また、口金本体は、底部を有していなくてもよい。つまり、口金本体は、両端に開口を有する筒体でもよい。
【０１３３】
また、筐体の端部が口金を覆ってもよい。つまり、口金の外径が筐体の端部の内径より小さくてもよい。
【０１３４】
また、例えば、上記の実施の形態では、給電用口金のみの片側から筐体内の全ＬＥＤに給電を行う片側給電方式を採用したが、両側の口金の両方とも給電ピンとするＧ１３口金及びＬ形口金などの両側給電方式を採用してもよい。この場合、一方側の給電ピンも他方側の給電ピンも１ピンとするような構成でもよい。あるいは、一方側の給電ピンも他方側の給電ピンも一対の給電ピンとして両側から受電するような構成でもよい。また、一対の給電ピン又は非給電ピンは、棒状金属に限らず、平板金属などによって構成されてもよい。
【０１３５】
さらに、上記給電方式の態様から、本発明に係る直管ＬＥＤランプでは、例えば、以下のバリエーションが挙げられる。すなわち、一方側がＬ形口金及び他方側が非給電ピンを持つ口金で構成された片側給電方式、両側がＬ形口金で構成された両側給電方式、両側がＬ形口金で構成された片側給電方式、Ｇ１３口金で構成された両側給電方式、並びに、Ｇ１３口金で構成された片側給電方式などである。
【０１３６】
また、上記実施の形態に係る直管ＬＥＤランプは、外部電源から直流電力を受電する方式であるが、電源回路（ＡＣ−ＤＣコンバータ回路）を内蔵することにより、外部電源から交流電力を受電する方式であってもよい。
【０１３７】
また、上記の実施の形態において、ＬＥＤモジュールは、青色ＬＥＤチップと黄色蛍光体とによって白色光を放出するように構成したが、これに限られない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体粒子、緑色蛍光体粒子及び赤色蛍光体粒子によって白色光を放出するように構成してもよい。
【０１３８】
また、上記の実施の形態において、発光素子としてＬＥＤを例示したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【０１３９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４０】
１、１ａ  直管ＬＥＤランプ（照明用光源）
２  照明装置
１０  ＬＥＤモジュール
１１  基板
１２  ＬＥＤ素子
２０  収縮部材
３０  給電用口金
３１、４１  口金本体
３２  給電ピン
４０  非給電用口金
４２  非給電ピン
５０  リード線
６０  骨組み部材
１００  照明用光源
２００  照明器具
２１０  受金
２２０  器具本体
【図１】
2015167090.tif 000003
【図２】
2015167090.tif 000004
【図３】
2015167090.tif 000005
【図４】
2015167090.tif 000006
【図５】
2015167090.tif 000007
【図６】
2015167090.tif 000008
【図７】
2015167090.tif 000009
【図８】
2015167090.tif 000010
【図９】
2015167090.tif 000011